(57)【要約】【課題】優待自袋を持参した客に対して割増ポイントを付与することが可能になる。【解決手段】商品データを入力するスキャナ４５と、入力された商品データの１商品取引の買上商品を収容する優待自袋５１を指定する優待自袋キー４１ｉと、バーコードシート１００から優待自袋データ１００ａを入力するスキャナ４５と、優待自袋データ１００ａによりポイント設定テーブル１２０から優待自袋ポイントが付与されるとともに、優待自袋ポイントをレシート２００に印字発行する。【選択図】      図６
2012079007.tif 000002
【特許請求の範囲】
【請求項１】
商品データを入力するデータ入力手段と、
優待自袋データを入力する前記データ入力手段と、
前記優待自袋ポイントを設定するポイント設定手段と、
前記データ入力手段により入力された１商品取引の買上商品を収容する優待自袋か否かを指定する優待自袋指定手段と、
この優待自袋指定手段により優待自袋が指定された場合には、前記データ入力手段により入力された前記優待自袋データがバーコードデータ記憶手段に予め記憶されたバーコードデータと符合するときに、符合された前記優待自袋データにより前記ポイント設定手段から優待自袋ポイントを付与するポイント付与手段と、
このポイント付与手段により付与された優待自袋ポイントを出力するポイント出力手段と、
を備えたことを特徴とする商品販売データ処理装置。
【請求項２】
商品データを入力するデータ入力手段と、
優待自袋の優待自袋データを記録するバーコードシートと、
このバーコードシートの優待自袋データを入力する前記データ入力手段と、
前記優待自袋の優待自袋ポイントを設定するポイント設定手段と、
前記データ入力手段により入力された１商品取引の買上商品を収容する優待自袋か否かを指定する優待自袋指定手段と、
この優待自袋指定手段により優待自袋が指定された場合には、前記データ入力手段により入力された前記優待自袋データがバーコードデータ記憶手段に予め記憶されたバーコードデータと符合するときに、符合された前記優待自袋データにより前記ポイント設定手段から優待自袋ポイントを付与するポイント付与手段と、
このポイント付与手段により付与された優待自袋ポイントを出力するポイント出力手段と、
を備えたことを特徴とする商品販売データ処理装置。
【請求項３】
前記ポイント出力手段は、
レシートに印字することを特徴とする請求項１または２に記載の商品販売データ処理装置。
【請求項４】
前記優待自袋指定手段は、
優待自袋キーを指定することを特徴とする請求項１または２に記載の商品販売データ処理装置。
【発明の詳細な説明】
【技術分野】
【０００１】
この発明の実施形態は、ＰＯＳ（Point Of Sales：販売時点データ管理）端末等の商品販売データ処理装置に関する。
【背景技術】
【０００２】
従来、買上商品の商品登録を行うＰＯＳ端末などの商品販売データ処理装置では、店舗側が用意した買物袋を辞退して、客自身が用意した買物袋を用いて（以下、客自身が用意した買物袋を［自袋］という）買物した場合には、他の商品との交換や値引きなどに活用できるポイントを決済時に与えるものが知られている。
【０００３】
また、商品の大きさに関するデータに基づいて１商品取引で買上げた商品を収容するに必要な買物袋データを算出し、その買物袋データに対応したポイントを客に与えることが知られている（たとえば、特許文献１参照）。
【先行技術文献】
【特許文献】
【０００４】
【特許文献１】特開２００８−１７１２５９号公報
【発明の概要】
【発明が解決しようとする課題】
【０００５】
従来例では、同じように自袋を用意した場合であっても１商品取引の買上商品を収容するための買物袋相当のポイントが客に与えられる。そのために、買上商品が少ない客と買上商品が多い客との間が不公平となることはない。
【０００６】
しかしながら、１商品取引の買上商品を収容するための買物袋相当のポイントを算出するために個々の商品の大きさに関するデータを予め登録しなければならず、多種類の商品を販売する店舗においては、容易に実行することができるものではなかった。
【０００７】
この発明は、店舗側が提供した買物袋（以下、優待自袋という）を利用する場合に、ポイントを与え、多種類の商品を販売する店舗であっても容易に実行することを可能とする商品販売データ処理装置を提供しようとするものである。
【課題を解決するための手段】
【０００８】
この発明の実施形態の商品販売データ処理装置は、商品データを入力するデータ入力手段と、優待自袋データを入力する前記データ入力手段と、優待自袋ポイントを設定するポイント設定手段と、前記データ入力手段により入力された１商品取引の買上商品を収容する優待自袋か否かを指定する優待自袋指定手段と、この優待自袋指定手段により優待自袋が用いる場合には、前記データ入力手段により入力された前記優待自袋データがバーコードデータ記憶手段に予め記憶されたバーコードデータと符合するときに、前記ポイント設定手段から優待自袋ポイントを付与するポイント付与手段と、このポイント付与手段により付与されたポイントを出力するポイント出力手段と、を備えたことを特徴とする。
【図面の簡単な説明】
【０００９】
【図１】実施形態に係るＰＯＳ端末の要部構成の一例を示すブロック図。
【図２】実施形態に係るキーボードのキーレアウトの一例を示す平面図。
【図３】実施形態に係るバーコードシートの一例を示す模式図。
【図４】実施形態に係るポイント設定テーブルの主要なデータ構造の一例を示す模式図。
【図５】実施形態に係る優待自袋の一例を示す模式図。
【図６】実施形態に係るＰＯＳ端末のＣＰＵが実行する主要なステップを示す構成を示すフローチャート。
【図７】実施形態に係るレシートの一例を示す模式図。
【図８】実施形態に係るレシートの一例を示す模式図。
【発明を実施するための形態】
【００１０】
以下、この発明の一実施形態について図面を参照して説明する。
【００１１】
なお、この実施形態は、スーパーマーケットなどにおけるチェックアウトカウンタに設置されているＰＯＳ端末などを含む商品販売データ処理装置に適用した場合について説明する。
【００１２】
図１は、この実施形態に係るＰＯＳ端末１１の要部構成を示すブロック図である。
【００１３】
図１に示すように、ＰＯＳ端末１１は、ＣＰＵ（Central Processing Unit）２１と、ＲＯＭ（Read Only Memory）２２と、ＲＡＭ（Random Access Memory）２３と、時計部２４と、Ｉ／Ｏ（Input／Output）ポート２５と、通信コントローラ２６と、キーコントローラ２７と、第１表示コントローラ２８と、第２表示コントローラ２９と、プリンタコントローラ３０と、スキャナコントローラ３１およびカードコントローラ３２等と、を備え、これらがアドレスバス、データバスなどのバスライン３３で接続している。
【００１４】
ＣＰＵ２１は、ＲＯＭ２２に記憶された各種プログラムを実行することによりＰＯＳ端末１１の全体を制御する。
【００１５】
ＲＯＭ２２には、ＣＰＵ２１が実行する各種プログラムが記憶されている。
【００１６】
ＲＡＭ２３には、ＣＰＵ２１が各種プログラムを実行する際に一時的にデータやプログラムを記憶する。たとえば、商品の販売データを記憶するためのワークメモリエリアが設けられている。
【００１７】
時計部２４は、現在の日時を計時されるようになっている。
【００１８】
Ｉ／Ｏポート２５には、ＣＰＵ２１からの指令によりドロワ４７に対して駆動信号が出力される。ドロワ４７は、現金等を収容するために設けられており、駆動信号の入力により自動的に開放動作する。このドロワ４７は、自動釣銭機能を有するものでもよい。また、モードスイッチ４８からのモード選択信号を入力する。
【００１９】
モードスイッチ４８には、［登録］、［点検］、［精算］、［設定］などの各種業務モードを選択するためのスイッチである。たとえば、鍵のスイッチにて操作されることにより、その実行をＣＰＵ２１に指令されるようになっている。
【００２０】
ちなみに、［登録］とは、スキャナ４５などにより客による買上商品の商品データが入力されると、その入力された商品データに基づいて図１に示すストアコンピュータ１２に備えられた商品情報テーブル１１０を参照して取得された商品情報に基づいて買上商品の買上データがワークメモリエリアへ一時的に記憶される。
【００２１】
そして、すべての商品入力が終了し、たとえば、預／現計キー４１ｃの締め手段により当該１商品取引の入力終了が宣言されると、その１商品取引で客の買上商品の合計金額などを前面表示器４２、客面表示器４３に表示させ、そしてプリンタ４４により買上データおよび自袋または優待自袋ポイント等をレシートに印字発行する業務のモードである。
【００２２】
［点検］とは、ワークメモリエリアに記憶された買上商品の買上データを集計し、レポート出力する業務のモードである。
【００２３】
［精算］とは、［点検］と同様に記憶された各商品の買上データを集計し、レポート出力した後、記憶された買上データをクリアする業務のモードである。
【００２４】
［設定］とは、各種業務等を実行する上で必要なデータを予め設定して記憶する業務のモードである。
【００２５】
通信コントローラ２６は、有線または無線の伝送路を介してストアコンピュータ１２との間でデータ通信を制御する。
【００２６】
キーボードコントローラ２７は、キーボード４１から操作キーに対応したキー信号を取り込みＣＰＵ２１に入力する。
【００２７】
図２は、この実施形態に係るキーボード４１の各種の操作キーのキーレアウトの一例を示す平面図である。
【００２８】
図２に示すように、キーボード４１の操作キーとしてたとえば、商品データや数値データを入力するための０〜９までの置数キー１４ａ、ＰＬＵ（price look up）コードであることを指令するＰＬＵキー１４ｂ、１商品取引の代金を現金決済の商品入力の締めを宣言する預／現計キー４１ｃ、１商品取引の代金をクレジット決済の商品入力の締めを宣言するクレジットキー４１ｄ、１商品取引として商品データとして入力された商品の合計金額を出力する小計キー４１ｅ、置数の入力を買上点数として入力させるための乗算キー４１ｆ、直前に商品入力が行われた商品と同一の商品の商品入力を行うことを指示するためのリピートキー４１ｇ、客自身が買物袋（自袋）を用意するなどして買物袋を辞退した場合に指定する自袋キー４１ｈ、店舗が配布した優待自袋を持参した場合に指定する優待自袋キー４１ｉおよびクリアキー４１ｊなどを有する。
【００２９】
前記自袋キー４１ｈには、１商品取引分の買上商品を収容するための自袋を客が持参したか否かを指定することができる。そして、自袋キー４１ｈを操作することで、決済処理時に客が買物袋を辞退した場合には、買上商品に対して割引額等のポイントを提供することが可能になる。
【００３０】
ここで、自袋キー４１ｈは、買物袋を辞退する場合の自袋指定手段として機能する。
【００３１】
前記優待自袋キー４１ｉには、１商品取引分の買上商品を収容するための優待自袋５１（図５参照）を客が持参したか否かを指定することができる。そして、優待自袋キー４１ｉを操作することで、決済処理時に客が優待自袋５１を用いた場合には、買上商品に対して自袋よりもさらに多くの割引額等のポイントを提供することが可能になる。
【００３２】
ここで、優待自袋キー４１ｉは、優待自袋指定手段として機能する。
【００３３】
第１表示コントローラ２８には、当該ＰＯＳ端末１１を操作するオペレータ（キャッシャ）に対して前面表示器４２の駆動を制御してＣＰＵ２１から与えられる表示データに対応した文字、画像を表示させる。
【００３４】
第２表示コントローラ２９には、客に対して客面表示器４３の駆動を制御してＣＰＵ２１から与えられる表示データに対応した文字、画像を表示させる。
【００３５】
プリンタコントローラ３０には、プリンタ４４の駆動を制御してＣＰＵ２１から供給される印字データをもとにレシートへ印字を行わせる。
【００３６】
スキャナコントローラ３１には、スキャナ４５で読取られたデータの信号を取り込みＣＰＵ２１に入力する。
【００３７】
なお、スキャナ４５で読取られたバーコードデータは、商品に表示されている商品データのバーコードデータや図３に示すように、バーコードシート１００に表示されている各種のバーコードデータたとえば、優待自袋５１（図５参照）の優待自袋バーコードデータ（以下、優待自袋データ）などである。ここにスキャナ４５は、データ入力手段として機能する。
【００３８】
図３は、バーコードシート１００の一例を示す模式図である。
【００３９】
図３に示すように、バーコードシート１００には、各種のバーコードデータが表示されている。たとえば、優待自袋データ１００a、米の秋田小町データ１００b、などの各種バーコードデータが表示されている。
【００４０】
このバーコードシート１００には、大型商品やバーコードが貼れない商品などの特定商品のバーコードデータが記録されている。商品入力時に、たとえば、客が優待自袋５１（図５参照）を持参している場合に、バーコードレシート１００の優待自袋データ１００aをスキャナ４５により入力するときに利用することが可能になる。
【００４１】
なお、バーコードシート１００の優待自袋データ１００a、米の秋田小町データ１００b、などは、２元コードであってもよい。
【００４２】
カードコントローラ３２には、カードリーダライタ４６でカードからの読取りデータの信号の取り込みＣＰＵ２１に入力する。また、カードリーダライタ４６でカードに書き込みデータをＣＰＵ２１に出力する。
【００４３】
ストアコンピュータ１２には、特に、商品情報テーブル１１０、ポイント設定テーブル１２０、バーコードデータテーブル１３０が記憶管理されている。
【００４４】
ここでは、前記ストアコンピュータ１２のポイント設定テーブル１２０、バーコードデータテーブル１３０の各データは、ＰＯＳ端末１１のＲＡＭ２３または図示しないＨＤＤ（Hard Disk Drive）に所定時刻になるとダウンロードされるようになっている。
【００４５】
図４は、ポイント設定テーブル１２０の一例を示す模式図である。
【００４６】
図４に示すように、ポイント設定テーブル１２０には、自袋有および優待自袋有に対応して割引額のポイント（円）が設定されている。
【００４７】
自袋有の場合には、ポイント＝２円が設定されている。また、自袋が無い場合には、ポイントが付かない（０円）。
【００４８】
さらに、優待自袋有りの場合には、割引額ポイント＝４円が設定されている。
【００４９】
ポイント設定テーブル１３０は、ポイント設定手段としての機能をする。
【００５０】
図５は、この実施形態に係る優待自袋５１の一例を示す模式図である。図５に示すように、優待自袋５１は、店舗が客に予め配布しておいた買物袋である。
【００５１】
この優待自袋５１には、店舗名などのマーク５１aが設けられている。このマーク５１aは、店舗が配布した優待自袋５１であることを証明するためのものである。
【００５２】
具体的には、スキャナ４５により優待自袋５１に表示されたマーク５１aに対応した優待自袋データ１００ａを図３に示したバーコードシート１００から読み込んでＰＯＳ端末１１やストアコンピュータ１２などに予め記憶されたバーコードデータ記憶手段としてのバーコードデータテーブル１３０に含まれるバーコードデータの優待自袋データを読込むようになっている。
【００５３】
たとえば、商品データ入力処理時に、買物袋を辞退した客が優待自袋５１を提示した場合には、スキャナ４５によりバーコードシート１００から優待自袋データ１００ａを読み込んで、バーコードデータテーブル１３０に優待自袋データ１０１ａが存在すると、優待自袋５１が自店舗で配布した買物袋であると判定する。このとき、自店舗が配布した優待自袋５１であることが証明された場合には、決済処理のときにポイントである割引額を割り増しするようになっている。
【００５４】
すなわち、店舗が予め配布しておいた優待自袋５１を持参し、繰り返し店舗を利用していると見込まれる客については、買物袋を辞退した際の割引額のポイントの割り増しを行う。
【００５５】
これにより、買物袋の辞退を推進させるとともに、繰り返し店舗を利用するリピータを増加させることが可能となる。
【００５６】
次に、このように構成された実施形態に係るＰＯＳ端末１１のＣＰＵ２１は、１商品取引処理の一例について図６のフローチャートに示すステップにしたがって説明する。このステップは、ＲＯＭ２２に記憶されているプログラムによって実現される。
【００５７】
はじめに、ＣＰＵ２１は、ＳＴ１１としてたとえば、スキャナ４５などのデータ入力手段を介して買上商品の商品データが入力されると（ＳＴ１１−ＹＥＳ）、ＳＴ１２としてスキャナ４５を介して入力された商品データに基づいて通信コントローラ２６を介してストアコンピュータ１２の商品情報テーブル１１０から商品情報を読み出し、読み出された商品情報に基づいて買上データをＲＡＭ２３のワークメモリエリアに一時的に記憶するとともに前面表示部４２および客面表示部４３へ表示させる。
【００５８】
このＳＴ１１〜ＳＴ１２の処理は、ＳＴ１３としてキーボード４１に設けられた預／現計キー４１ｃなどが操作されて商品データ入力の締め処理が宣言されるまで商品データの入力が繰り返し行われる（ＳＴ１３−ＮＯ）。
【００５９】
次に、ＣＰＵ２１は、１商品取引のすべての買上商品についての商品データ入力が終了した場合には、キーボード４１に設けられた預／現計キー４１ｃが操作されて締め処理が宣言されると（ＳＴ１３−ＹＥＳ）、１商品取引の買上商品の合計金額等を算出させるとともに、ＲＡＭ２３のワークメモリエリアに一時的に記憶する。
【００６０】
次に、ＣＰＵ２１は、ＳＴ１４として優待自袋キー４１ｉの操作の有無を検出し、客が優待自袋５１を持参しているか否か指定する（優待自袋指定手段）。すなわち、優待自袋５１を客が持参し、優待自袋キー４１ｉが操作し指定されると（ＳＴ１４−ＹＥＳ）、ＳＴ１１の買上商品の商品データ入力時に、スキャナ４５によりバーコードシード１００に記録された優待自袋データ１００aを入力し、入力された優待自袋データ１００aに基づいてバーコードデータテーブル１３０のバーコードデータと符合する。
【００６１】
そして、優待自袋５１の優待自袋データが有る場合には、ＣＰＵ２１は、ＳＴ１６として優待自袋データ１００aに対応するポイント設定テーブル１２０の優待自袋有を条件として優待自袋ポイント＝４円を読み出して優待自袋ポイントを付与する（ポイント付与手段）。付与された優待自袋ポイント＝４円をＲＡＭ２３のワークメモリエリアに一時的に記憶させる。
【００６２】
次に、ＳＴ１８としてＳＴ１３の締め処理で算出された買上商品の合計金額などとＳＴ１６の優待自袋有りの条件で取得された優待自袋ポイント＝４円で決済処理を行う。
【００６３】
次に、ＣＰＵ２１は、ＳＴ１９として図７に示すように、レシート２００に優待自袋ポイント４円および合計金額等をプリンタ４４により印字発行（ポイント出力手段）する。そして１商品取引処理を終了する。
【００６４】
一方、客が優待自袋５１を持参していなく、優待自袋５１が無い場合には（ＳＴ１４−ＮＯ）、ＣＰＵ２１は、自袋キー４１ｈの操作の有無を検出し、客が自袋を持参しているか否かを指定する（自袋指定手段）。すなわち、ＳＴ１５として１商品取引分の買上商品を収容するための自袋を客が持参し、たとえば、自袋キー４１ｈが指定されると（ＳＴ１５−ＹＥＳ）、ＣＰＵ２１は、ＳＴ１７に進める。
【００６５】
ＳＴ１７では、自袋有に対応するポイント設定テーブル１２０の自袋有を条件として自袋ポイント＝２円を読み出して自袋ポイントを付与する（ポイント付与手段）。付与された自袋ポイント＝２円をＲＡＭ２３のワークメモリエリアに一時的に記憶させる。
【００６６】
次に、ＳＴ１８の決済処理に進み、ＳＴ１３の締め処理で算出された買上商品の合計金額とＳＴ１７で取得した自袋ポイント＝２円で決済処理を行う。
【００６７】
次に、ＣＰＵ２１は、ＳＴ１９として図８に示すように、レシート２１０に自袋ポイント２円および合計金額等をプリンタ４４により印字発行（ポイント出力）する。そして１商品取引処理を終了する。
【００６８】
また、客が自袋を持参しておらず、買物袋を客に提供する場合には（ＳＴ１５―ＮＯ）、ＳＴ１８に進める。
【００６９】
ＣＰＵ２１は、ＳＴ１８としてＳＴ１３の締め処理で算出された買上商品の合計金額等に基づき決済処理を行う。
【００７０】
次に、ＳＴ１９として客が自袋を持参されていないので、自袋ポイントは付かない、通常のレシートをプリンタ４４により印字出力する。そして１商品取引処理を終了する。
【００７１】
図７は、この実施形態に係る優待自袋ポイントのレシート２００の印字出力の一例を示す模式図である。
【００７２】
具体的にはＳＴ１９においてプリンタ４４で出力されるレシート２００の優待自袋ポイント４円を含む合計金額等が印字された部分を例示する模式図である。
【００７３】
図８は、この実施形態に係る自袋のレシート２１０の印字出力の一例を示す模式図である。
【００７４】
具体的にはＳＴ１９においてプリンタ４４で出力されるレシート２１０の自袋ポイント２円を含む合計金額等が印字された部分を例示する模式図である。
【００７５】
この実施形態によれば、１商品取引処理における買上商品を収容する買物袋を店舗が提供するものではなく、客の持参した自袋または優待自袋を用いることで割引のポイントが得られる。
【００７６】
この発明の実施形態において店舗が配布した優待自袋５１は、優待自袋５１に優待自袋データ１００aに印刷することが必要なく。すなわち、バーコードシード１００に記録された優待自袋データ１００aをスキャナ４５により入力してバーコードデータテーブル１３０のバーコードデータと符合され、符号が確認されると優待自袋５１と証明することが可能になる。
【００７７】
したがって優待自袋データ１００aのバーコードを印刷することなく優待自袋５１の製作も容易になる。また、優待自袋５１は、バーコードがないので、バーコードを損傷することなく繰り返えし長く利用すること可能になる。
【００７８】
このレシート２００、２１０により、客は、買物袋を辞退した場合におけるポイントを確認することができる。
【００７９】
なお、ポイントをレシートに印字発行するように、この実施例では説明したが各店舗が発行する店舗カードにカードリーダライタ４６によりクーポンポイントを記録して提供してもよいことは勿論である。
【００８０】
以上のように、この実施形態に係るＰＯＳ端末１１は、決済処理時に客が買物袋を辞退し、１商品取引分の買上商品を収容するための買物袋を客に提供しない場合において、客が持参した自袋または優待自袋５１に応じたポイントを提供することが可能であるため、多種類の商品の大きさなどを予め登録する手間を必要としない効果が得られる。
【００８１】
なお、この実施形態では、客が優待自袋５１を持参して提示した時に、その優待自袋５１に設けられた店舗マーク５１ａに対してバーコードシート１００の優待自袋データ１００ａをコード入力手段としてのスキャナ４５で入力し、バーコードデータテーブル１３０に予め設定されたバーコードデータと符合する場合に、ポイントの割り増しを行う構成を例示した。
【００８２】
しかしながら、バーコードシート１００は、バーコードデータなどの予め記憶された情報との符号の有無を検証可能なデータが記憶された記憶媒体であれば、カードなどであってもよい。その形態は特に限定しない。
【００８３】
また、バーコードシート１００に記録された優待自袋データを記憶する記憶媒体としては、バーコードのほかＱＲコード（登録商標）などであってもよい。
【００８４】
なお、この実施形態に限定されるものではなく、実施の段階ではその要旨を逸脱しない範囲で構成要素を変形して具体化できる。
【００８５】
たとえば、この実施形態では、ＰＯＳ端末１１とオンラインで接続されたストアコンピュータ１２が商品情報テーブル１１０、ポイント設定テーブル１２０、バーコードデータテーブル１３０を記憶管理したが、ＰＯＳ端末１１自体が図示しない、ＨＤＤに商品情報テーブル１１０、ポイント設定テーブル１２０、バーコードデータテーブル１３０を記憶管理することによって、単体のＰＯＳ端末１１によりこの実施形態の商品販売データ処理装置を構成することも可能である。
【００８６】
以上説明したように、前記実施形態に限定されるものではなく、実施の段階ではその趣旨を逸脱しない範囲で種々に変形することが可能であるのは勿論である。
【符号の説明】
【００８７】
１１…ＰＯＳ端末、１２…ストアコンピュータ、２１…ＣＰＵ、２２…ＲＯＭ、２３…ＲＡＭ、４１…キーボード、４１ｃ…預／現計キー（締め手段）、４１ｉ…優待自袋キー（優待自袋指定手段）、４４…プリンタ、４５…スキャナ（データ入力手段）、５１…優待自袋、１００…バーコードシート、１００ａ…優待自袋データ、１２０…ポイント設定テーブル（ポイント設定手段）、１３０…バーコードデータテーブル（バーコードデータ記憶手段）。
【図１】
2012079007.tif 000003
【図２】
2012079007.tif 000004
【図３】
2012079007.tif 000005
【図４】
2012079007.tif 000006
【図５】
2012079007.tif 000007
【図６】
2012079007.tif 000008
【図７】
2012079007.tif 000009
【図８】
2012079007.tif 000010